(57)【要約】【要  約】【課  題】    建物や乗り物の手すり類に消臭空気清浄機能を付与する。【解決手段】  掴み部分が中空構造のもの1a、あるいは中実構造で長手方向の溝を形成したもの1bに対して中空部分あるいは溝の中に消臭剤3a，3bを充填し、中空構造の場合は掴み部分に呼吸孔２を設けて手すり類を構成する。【選択図】    図１
2005213959.tif 000002
【特許請求の範囲】
【請求項１】
掴み部分（1a）が中空構造の手すり類において、この中空部分に消臭剤（3a）を充填して掴み部分に呼吸孔（２）を設けたことを特徴とする手すり類の消臭空気清浄構造。
【請求項２】
掴み部分（1b）が中実構造の手すり類において、この掴み部分（1b）に長手方向の溝を形成し、その溝の中に消臭剤（3b）を充填したことを特徴とする手すり類の消臭空気清浄構造。
【請求項３】
前記消臭剤（3a，3b）が交換可能に成型されている請求項１または２に記載の手すり類の消臭空気清浄構造。
【請求項４】
前記手すり類が建物の室内に取り付けられた手すり（11，12）である請求項1ないし３のいずれかに記載の手すり類の消臭空気清浄構造。
【請求項５】
前記手すり類が車両の吊手（13）である請求項1ないし３のいずれかに記載の手すり類の消臭空気清浄構造。
【請求項６】
前記手すり類が車両の吊手棒（14）である請求項1ないし３のいずれかに記載の手すり類の消臭空気清浄構造。
【請求項７】
前記手すり類が車両の掴み棒（15、16）である請求項1ないし３のいずれかに記載の手すり類の消臭空気清浄構造。
【発明の詳細な説明】
【技術分野】
【０００１】
本発明は、建物、乗り物など、人間が生活する密閉空間内に設けられる手すり類の消臭空気清浄構造に関する。
【背景技術】
【０００２】
建物、乗り物など、人間が生活する密閉空間（扉、窓などで通常密閉されている空間をいい、厳密な意味での密閉ではない）には、危険防止のため各種の手すりが取り付けられている。例えば住宅内であれば階段や廊下の手すり、風呂場や便所の手すり、ベッドの両端の手すりなどがそうであり、電車などの乗り物内では乗降ステップやドア脇の手すり、立ち客のための吊手、座席脇の掴み棒などがあり、荷棚前面の支持棒や吊手を取り付けている吊手棒なども混雑時や急停車などの際には乗客が掴む可能性がある。本明細書ではこれらを総称して「手すり類」と呼ぶことにする。
【０００３】
これら手すり類の掴み部分は直線状、曲線状を問わずすべて棒状であり、金属棒、金属管、木製あるいは樹脂製などの棒状体で形成されている。
【０００４】
手すり類は掴まれてもよいだけの強度を有することはいうまでもないが、寸法的には掴みやすい太さを有し、断面は必ずしも円形とは限らないが全体に不用意に掴んでも怪我をしないよう、また掃除しやすく汚れにくいように角の少ない形状であり、美観を損ねないことも重要であり、乗り物の場合には重量が重くないことも望ましい条件である。
【発明の開示】
【発明が解決しようとする課題】
【０００５】
手すり類は以上のような見地から設計し、取り付けられているが、これまで特に消臭や空気清浄などといったいわば化学作用は期待されていなかった。本発明は密閉空間内に取り付けられているこれら手すり類に、新たに消臭、空気清浄の機能を付加することを目的とする。
【課題を解決するための手段】
【０００６】
本発明は、掴み部分が中空構造の手すり類において、この中空部分に消臭剤を充填して掴み部分に呼吸孔を設けたことを特徴とする手すり類の消臭空気清浄構造、あるいは、掴み部分が中実構造の手すり類において、この掴み部分に長手方向の溝を形成し、その溝の中に消臭剤を充填したことを特徴とする手すり類の消臭空気清浄構造で、望ましくは前記消臭剤が交換可能に成型されている請求項２に記載の手すり類の消臭空気清浄構造であって、前記手すり類が建物の室内に取り付けられた手すりであるか、車両の吊手であるか、車両の吊手棒であるか、あるいは車両の掴み棒である前記の手すり類の消臭空気清浄構造である。
【発明の効果】
【０００７】
本発明によれば、手すり類本来の機能を果たしながら、建物や車両内の消臭や空気清浄が達せられ、衛生環境が改善されるという優れた効果を奏する。
【発明を実施するための最良の形態】
【０００８】
以下本発明の実施例を図面により説明する。まず図１は、掴み部分が中空構造の手すり類の場合の要部を示す部分斜視図で、1aは中空管状をした手すり類の本体（掴み部分）、２はその表面に適宜設けられた複数個の呼吸孔、3aは本体1aの中空部分に充填された消臭剤である。消臭剤3aは消臭、殺菌、空気清浄等の効果を有するものの総称である。具体的には活性炭、竹炭等の消臭、消毒作用のある物質に適宜、芳香剤等を含浸させたもので、チップ状、粒子状、粉状、あるいは多孔質の固形状等、空気との接触面積を大きくした状態のものが好ましい。また本体内部への充填は粉状等の不定形のものをそのまま充填してもよいし、将来の交換に便利なように圧縮成型、あるいはバインダ等により成型したものを挿入してもよい。粉体を通気性のあるフィルムでできたチューブに詰め、これを挿入してもよい。本体が射出成型による樹脂製品である場合、成型した消臭剤を中子にして成型すれば内部に封入したものが製造できる。中子を支持する柱状のものを引き抜くと、その跡が呼吸孔２となる。
【０００９】
粉体等、粒径の細かいものを成型せずに使用する場合は、呼吸孔２から流出しないように配慮が必要である。またバインダにより成型する場合は、粒子の有効表面積をふさいでしまうことのないよう、注意しなければならない。
【００１０】
手すり類の周囲の空気は呼吸孔２を通して内部に充填された消臭剤3aに接触し、消臭されるとともに、消臭剤3aに含浸させた有効成分が呼吸孔２を通して周囲に揮発拡散されて周囲の空気を浄化する。
【００１１】
図２は、掴み部分が中実構造の手すり類の場合の要部を示す部分斜視図で、1bは中実棒状をした手すり類の本体（掴み部分）で、長手方向に溝が形成されている。3bはその溝の中に充填した消臭剤である。この場合は消臭剤3bは不定形では本体1bに保持できないので、成型品であることが好ましい。図１のものに比べ、交換は容易である。掴んだ場合に手や衣服などが汚れることのないよう、消臭剤3bは本体1bからあまり突出させず、できれば粉体を通気性のあるフィルムでできたチューブに詰めたタイプのものなどが好ましい。
【００１２】
以上いずれの場合も、消臭剤は必ずしも本体の全長にわたって挿入する必要はなく、飛び飛びでもそれなりに効果がある。
【００１３】
以下本発明の手すり類の消臭空気清浄構造のさまざまな応用例を示す。図３は建物の室内の一部を示す部分斜視図で、11はドアに取り付けられた手すり、12は階段に設けられた手すりである。また図４は電車等の乗り物における吊手部分を示す部分斜視図で、13は立っている乗客が掴む吊手、14はこれを取り付けている吊手棒であるが、いざというときにはこれを掴むこともできるように高さが配慮されている。図５は同じく電車等の乗り物の出入り口付近を示す部分斜視図で、15はドア脇に設けられた掴み棒、16は腰掛け脇などに設けられた立ち客用の掴み棒である。
【００１４】
これらの手すり類を本発明の消臭空気清浄構造とすることにより、建物や乗り物の室内の空気が浄化され、健康な生活空間が実現する。消臭剤は軽いものであるから、乗り物の場合でもこれを充填することによる重量増加は問題にはならない。
【図面の簡単な説明】
【００１５】
【図１】本発明の実施例の手すり類の要部を示す部分斜視図である。
【図２】本発明の他の実施例の手すり類の要部を示す部分斜視図である。
【図３】本発明の応用例を示す建物の室内の一部を示す部分斜視図である。
【図４】本発明の応用例を示す乗り物の吊手部分の部分斜視図である。
【図５】本発明の応用例を示す乗り物の出入り口付近の部分斜視図である。
【符号の説明】
【００１６】
1a、1b    （手すり類の）本体（掴み部分）
２    呼吸孔
3a、3b    消臭剤
11、12    手すり
13    吊手
14    吊手棒
15、16    掴み棒
【図１】
2005213959.tif 000003
【図２】
2005213959.tif 000004
【図３】
2005213959.tif 000005
【図４】
2005213959.tif 000006
【図５】
2005213959.tif 000007